(57)【要約】【課題】製造コストを抑制しながらも、断熱性及び採光性に優れ、プライバシーの保護を図ることが可能な断熱採光建具を提供する。【解決手段】建物の開口部を覆う面材は、透光性を有する複数のパネルを厚み方向に重ね合わせて構成される。複数のパネルは、対向する２枚の表面板と、２枚の表面板を連結し厚み方向と垂直な方向に延在する複数のリブと、をそれぞれ有し、且つ、厚み方向に沿って見た場合に、手前側のパネルのリブの延在方向と奥側の前記パネルのリブの延在方向とが交差するよう配置される。【選択図】図５
2014237983.tif 000002
【特許請求の範囲】
【請求項１】
建物の開口部を覆い、屋内外における断熱と屋外からの採光を行う断熱採光建具であって、
その厚み方向における一側面を屋内側に向けるとともに他側面を屋外側に向けて前記開口部を覆う面材と、
前記面材の周縁を前記厚み方向に挟み込む枠材と、を備え、
前記面材は、透光性を有する複数のパネルを前記厚み方向に重ね合わせて構成され、
前記複数のパネルは、対向する２枚の表面板と、前記２枚の表面板を連結し前記厚み方向と垂直な方向に延在する複数のリブと、をそれぞれ有し、
隣り合う２つの前記パネルを前記厚み方向に沿って見た場合に、手前側の前記パネルにおける前記リブの延在方向と、奥側の前記パネルにおける前記リブの延在方向とが、互いに交差するよう配置されることを特徴とする断熱採光建具。
【請求項２】
前記面材は、前記面材の前記一側面を形成する屋内側パネルと、前記面材の前記他側面を形成する屋外側パネルと、前記屋内側パネル及び前記屋外側パネルの間に配置される内部パネルと、の少なくとも３つの前記パネルを有し、
前記屋内側パネル及び前記屋外側パネルは、いずれもその前記リブの延在方向が前記面材の長手方向と略同一となるよう配置され、
前記厚み方向に沿って見た場合に、前記内部パネルは、その前記リブの延在方向が前記屋内側パネル及び前記屋外側パネルのそれぞれの前記リブの延在方向と交差するよう配置されることを特徴とする請求項１に記載の断熱採光建具。
【発明の詳細な説明】
【技術分野】
【０００１】
本発明は、建物の開口部を覆い、屋内外における断熱と屋外側からの採光を行う断熱採光建具に関する。
【背景技術】
【０００２】
建物の開口部を覆う建具には、屋内環境を快適なものに維持するために種々の機能が要求される。まず、建具によって屋内外を仕切るように覆い、プライバシー保護のために屋外側からの視認性を低下させながらも、採光は確保することが求められる。
【０００３】
また、冬季では、屋内側の熱が建具を介して屋外側に放散されやすく、これが屋内の暖房効率を低下させる大きな要因となる。したがって、建具には、それ自体が高い断熱性を備えることも求められる。
【０００４】
これらの要求を満たす建具の一つとして、特許文献１には、室内用の二重窓が記載されている。この二重窓は、合成樹脂製の薄い表面板（シート材）を２枚有している。表面板はいずれも透明又は半透明であるため、建物の開口部を覆いながらも、屋外側からの採光を確保することができる。
【０００５】
また、２枚の表面板の間には、それらを連結するリブ（隔離体）が設けられる。このリブは種々の形状のものを採用可能であり、延在方向が異なるものが交差して形成された格子状のリブなどが提案されている。透明又は半透明の表面板そのものには、屋外からの視認性を低下させる機能をさほど期待できない。しかしながら、２枚の表面板の間にこの格子状のリブを設けることにより、屋外側からの光は格子の内部を通過させて採光性を大きく阻害することなく、屋外側からの視認性を低下させることができる。
【０００６】
さらに、このリブにより、２枚の表面板の間は複数の空間に区画される。区画形成された各空間には空気が存在するため、屋内側から屋外側への熱の伝達はこの空気を介して行われることとなる。特許文献１では、この空気の介在によって熱の伝達が鈍化し、二重窓全体での断熱性を向上させることができるとされている。
【先行技術文献】
【特許文献】
【０００７】
【特許文献１】特開２００８−１４１１３号公報
【発明の概要】
【発明が解決しようとする課題】
【０００８】
しかしながら、上記特許文献１記載の二重窓のように、２枚の表面板と、その間に挟み込まれる格子状を呈するリブによって一つの二重窓を構成すると、その成型に多大な手間を要していた。
【０００９】
すなわち、リブが格子状である場合、２枚の表面板の間でリブが複数の方向に延在するため、押出成型によって２枚の表面板及びリブを一体的に成型することが困難となる。したがって、表面板とは別に成型しておいた格子状のリブを、２枚の表面板の間に接着や溶着によって設ける作業が必要となり、成型に大きな手間を要する。したがって、建具そのもの製造コストの増大を招いていた。
【００１０】
本発明はこのような課題に鑑みてなされたものであり、その目的は、製造コストを抑制しながらも、断熱性及び採光性に優れ、プライバシーの保護を図ることが可能な断熱採光建具を提供することにある。
【課題を解決するための手段】
【００１１】
上記課題を解決するために、本発明に係る断熱採光建具は、建物の開口部を覆い、屋内外における断熱と屋外からの採光を行う断熱採光建具であって、その厚み方向における一側面を屋内側に向けるとともに他側面を屋外側に向けて前記開口部を覆う面材と、前記面材の周縁を前記厚み方向に挟み込む枠材と、を備え、前記面材は、透光性を有する複数のパネルを前記厚み方向に重ね合わせて構成され、前記複数のパネルは、対向する２枚の表面板と、前記２枚の表面板を連結し前記厚み方向と垂直な方向に延在する複数のリブと、をそれぞれ有し、隣り合う２つの前記パネルを前記厚み方向に沿って見た場合に、手前側の前記パネルにおける前記リブの延在方向と、奥側の前記パネルにおける前記リブの延在方向とが、互いに交差するよう配置されることを特徴としている。
【００１２】
本発明に係る断熱採光建具では、隣り合う２つのパネルを厚み方向に沿って見た場合に、手前側のパネルにおけるリブの延在方向と、奥側のパネルにおけるリブの延在方向とが、互いに交差するよう配置される。換言すれば、手前側のパネルのリブと、奥側のパネルのリブとを厚み方向に投影した場合に、両者が重なるとともに交差するように配置される。したがって、面材の厚み方向に沿って見た場合には、このリブの延在方向の交差によって、面材の内部に格子が形成されているように見える。これにより、採光を確保しながらも、屋外側からの視認性を低下させてプライバシーの保護を図ることが可能となる。
【００１３】
このように、複数のパネルのリブの延在方向を交差させて視覚的に格子状とするため、それぞれのパネルにおけるリブの延在方向は、一方向でよい。したがって、それぞれのパネルは、２枚の表面板及び複数のリブを押出成型によって一体的に成型することが可能である。このように押出成型されたパネルは、廉価で汎用性のあるものが市場で多数流通していることから、この汎用パネルを用いて面材を構成することも可能となり、製造コストの抑制を図ることができる。
【００１４】
さらに、複数のパネルは、それぞれ、２枚の表面板の間がリブによって複数の空間に区画される。したがって、複数のパネルを重ね合わせて面材を構成し、屋内側と屋外側との間に複数の表面板が境界面として設けられることで断熱性が向上するのはもちろんのこと、リブによって区画形成された各空間に存在する空気も利用して、断熱性を向上させることが可能となる。
【００１５】
また本発明に係る断熱採光建具では、前記面材は、前記面材の前記一側面を形成する屋内側パネルと、前記面材の前記他側面を形成する屋外側パネルと、前記屋内側パネル及び前記屋外側パネルの間に配置される内部パネルと、の少なくとも３つの前記パネルを有し、前記屋内側パネル及び前記屋外側パネルは、いずれもその前記リブの延在方向が前記面材の長手方向と略同一となるよう配置され、前記厚み方向に沿って見た場合に、前記内部パネルは、その前記リブの延在方向が前記屋内側パネル及び前記屋外側パネルのそれぞれの前記リブの延在方向と交差するよう配置されることも好ましい。
【００１６】
面材を構成するパネルそのものの剛性確保の観点からは、２枚の表面板の間のリブは、パネルの長手方向に延在させることが望ましい。上述した、市場で流通している汎用パネルのリブも、その殆どが同様の構成を採用しているのが実情である。
【００１７】
そこでこの好ましい態様では、屋内側パネル及び屋外側パネルは、いずれもそのリブの延在方向が面材の長手方向と略同一となるよう配置される。これにより、上記汎用パネルを用いて屋内側パネルと屋外側パネルとを構成する場合に、その長手方向を面材の長手方向と一致させて、屋内側パネルと屋外側パネルのそれぞれを１つの汎用パネルで構成することが容易となる。換言すれば、屋内側パネルと屋外側パネルのそれぞれを、複数の汎用パネルを繋ぎ合わせるなどして構成する必要がなくなる。したがって、面材の厚み方向の一側面を形成する屋内側パネルと、同他側面を形成する屋外側パネルのそれぞれを、繋ぎ目無く形成することが容易となる。
【００１８】
また、屋内側パネルと屋外側パネルの間に配置される内部パネルは、面材の厚み方向に沿って見た場合に、そのリブの延在方向が屋内側パネル及び屋外側パネルのそれぞれのリブの延在方向と交差するよう配置される。この内部パネルについては、複数の汎用パネルを繋ぎ合わせて構成した場合でも、それらの繋ぎ目は屋内側パネルと屋外側パネルによって覆われるため、外部から目立つことがない。
【００１９】
すなわち、この好ましい態様によれば、パネルの繋ぎ目が無い、若しくは、パネルの繋ぎ目があっても目立たなくして意匠性が高いものとしながらも、リブの重なりによって視覚的に格子を形成し、断熱性の向上と視認性の低下を図ることが可能となる。
【発明の効果】
【００２０】
本発明によれば、製造コストを抑制しながらも、断熱性及び採光性に優れ、プライバシーの保護を図ることが可能な断熱採光建具を提供することができる。
【図面の簡単な説明】
【００２１】
【図１】本発明の実施形態に係る断熱採光建具を示す正面図である。
【図２】図１のＡ−Ａ断面における断面図である。
【図３】図１のＢ−Ｂ断面における断面図である。
【図４】図３に示した引戸の詳細を示す断面図である。
【図５】本発明の実施形態に係る断熱採光建具の面材を示す分解斜視図である。
【発明を実施するための形態】
【００２２】
以下、添付図面を参照しながら本発明の実施の形態について説明する。理解を容易にするため、各図面において同一の構成要素に対しては可能な限り同一の符号を付し、重複する説明は省略する。
【００２３】
まず、図１乃至３を参照して、本発明の実施形態に係る日射遮蔽装置の概略を説明する。図１は、本発明の実施形態に係る断熱採光建具を示す正面図であり、図２は、図１のＡ−Ａ断面における断面図であり、図３は、図１のＢ−Ｂ断面における断面図である。
【００２４】
図２に示すように、建物の床Ｆと天井Ｓとの間に立設される板状の内壁Ｗには、屋外に連通する開口部ＯＰが開設されている。この開口部ＯＰには、その周縁に沿うように額縁１９が設けられている。額縁１９よりも屋外側には、図示しない窓サッシや網戸が設けられおり、開口部ＯＰはそれらによって屋外側から覆われている。
【００２５】
断熱採光建具ＡＬは、開口部ＯＰを屋内側から覆うようにして設けられる内窓であり、引戸４０、４０を備えている。図１及び図３に示すように、引戸４０、４０は、それぞれが開口部ＯＰの左部分と右部分を覆うようにして配置されている。
【００２６】
図１及び図２に示すように、内壁Ｗの屋内側の面には、額縁１９の上方にＬ型アングル１０が固定され、額縁１９の下方に窓台１６が固定されている。Ｌ型アングル１０は、側面視で略Ｌ字形状を呈するよう曲げ加工された金属製の薄板であり、内壁Ｗに当接固定されるベース部１２と、ベース部１２の上端から屋内側に向けて略水平に延出する連結部１３と、連結部１３の端部から垂下する係止部１４とを有する。
【００２７】
引戸４０、４０は、このＬ型アングル１０と窓台１６の間に配置されている。また、引戸４０、４０は、それぞれ枠材２０と、その枠材２０によって保持される面材３０とを有している。
【００２８】
枠材２０は、上下に離間して配置される上枠２１、下枠２２と（図１参照）、左右一対の縦枠２３、２３（図１及び図３参照）で構成されている。縦枠２３、２３は、上枠２１及び下枠２２のそれぞれの左右両端部を連結するよう鉛直方向に延びている。図２に示すように、上枠２１及び縦枠２３、２３の上端部には、下方に向けて凹設された溝１７が形成されている。また、下枠２２の下部には、回転自在の戸車２５が固定されている。
【００２９】
面材３０は全体として板状を呈しており、図３に示すように、その厚み方向における一側面３０ａを屋内側に向け、他側面３０ｂを屋外側に向けて開口部ＯＰを覆っている。また、後に詳述するように、面材３０は、透光性を有する複数のパネルをその厚み方向に重ね合わせて構成されており、枠材２０によってその周縁を保持されている。
【００３０】
このように構成された引戸４０、４０は、枠材２０の上端に形成された溝１７とＬ型アングル１０の係止部１４が係止し、さらに、戸車２５が窓台１６の上面に形成された溝１７内に配置されて回転することで、Ｌ型アングル１０及び窓台１６に沿って水平方向にスライド自在とされている。引戸４０、４０は、窓台１６の両端部に設けられる戸当たり１８、１８に当接するまでスライド可能である。
【００３１】
次に、図４及び図５を参照して、引戸４０の具体的な構成についてさらに詳しく説明する。図４は、図３に示した引戸の詳細を示す断面図であり、図５は、本発明の実施形態に係る断熱採光建具の面材を示す分解斜視図である。
【００３２】
面材３０は、屋内側パネル３１と、屋外側パネル３２と、そしてそれらの間に挟まれる内部パネル３３の３つのパネルを、図５に矢印Ｚで示す面材３０の厚み方向に重ね合わせることで構成されている。
【００３３】
屋内側パネル３１は全体として板状を呈し、対向する薄い２枚の表面板３１ａ、３１ｂと、その表面板３１ａ、３１ｂの間でそれらを連結する薄板状のリブ３１ｃから構成される。リブ３１ｃは、屋内側パネル３１の短手方向に、所定の間隔を空けて複数設けられている（説明の簡便のため、図５では複数のリブ３１ｃの一部の図示を省略している。後述するリブ３２ｃ、３３１ｃ、３３２ｃ、３３３ｃについても同様である）。
【００３４】
この複数のリブ３１ｃは、互いに平行で、且つ、屋内側パネル３１の長手方向に延在している。リブ３１ｃの延在方向を屋内側パネル３１の長手方向とすることで、当該長手方向に垂直な軸であるＸ軸（図５参照）周りの曲げモーメントに抗するよう、屋内側パネル３１そのものの剛性を確保することができる。市場で流通している汎用パネルのほとんどが、同様の構成を採用している。また、表面板３１ａ、３１ｂの間は、複数のリブ３１ｃにより、複数の空間３１ｄに区画される。
【００３５】
この屋内側パネル３１は、素材としてポリカーボネートを採用し、高い透光性を有している。上記のとおり複数のリブ３１ｃが平行で、且つ、屋内側パネル３１の長手方向のみに延在していることから、表面板３１ａ、３１ｂ及び複数のリブ３１ｃを、図５に示す矢印Ｙの方向への押出成型によって、一体的に成型可能である。大量生産に適したこのようなポリカーボネート製のパネルは、用途を限定されない汎用的な建材として、廉価で市場に流通しており、容易に調達可能なものである。この屋内側パネル３１もそのような汎用パネルによって構成されたもので、１つの汎用パネルを切断し、大きさを調整して用いられている。
【００３６】
屋外側パネル３２は、屋内側パネル３１と同様の汎用パネルである。そして、その内部のリブ３２ｃは、屋外側パネル３２の長手方向のみに延在している。
【００３７】
内部パネル３３は、屋内側パネル３１、屋外側パネル３２と同種のポリカーボネート製の汎用パネルであるが、第１内部パネル３３１、第２内部パネル３３２、第３内部パネル３３３の３つの汎用パネルを直線的に並べ、繋ぎ合わせることで構成される点で大きく異なる。第１内部パネル３３１、第２内部パネル３３２、第３内部パネル３３３のそれぞれの内部には、リブ３３１ｃ、リブ３３２ｃ、リブ３３３ｃが、互いに平行となるよう延在している。
【００３８】
面材３０は、以上のような屋内側パネル３１、屋外側パネル３２、内部パネル３３を厚み方向に重ね合わせることで構成されている。詳細には、まず、屋内側パネル３１と屋外側パネル３２は、それらのリブ３１ｃ、３２ｃの延在方向が、面材３０の長手方向（図５の矢印Ｙの方向）と略同一となるよう配置されている。すなわち、屋内側パネル３１と屋外側パネル３２の長手方向を、面材３０の長手方向と一致させている。
【００３９】
次に、内部パネル３３は、そのリブ３３１ｃ、３３２ｃ、３３３ｃが面材３０の幅方向（図５の矢印Ｘの方向）に延在し、面材３０の厚み方向（図５の矢印Ｚの方向）に沿って屋内側から見た場合に、その延在方向が、屋内側パネル３１、屋外側パネル３２のリブ３１ｃ、３２ｃの延在方向と略直角に交差するように配置されている。換言すれば、屋内側パネル３１、屋外側パネル３２のリブ３１ｃ、３２ｃと、内部パネル３３のリブ３３１ｃ、３３２ｃ、３３３ｃを面材３０の厚み方向に投影した場合に、両者が重なるとともに交差するように配置される。
【００４０】
重ね合わせた屋内側パネル３１、屋外側パネル３２、内部パネル３３は、図４に示すように、その周囲を縦枠２３の屋内側板２３ａと屋外側板２３ｂによって面材３０の厚み方向に挟持され、一体的に構成される。屋内側板２３ａと屋外側板２３ｂの間にはスチールチャネル２６が挟持され、縦枠２３の剛性を高めている。
【００４１】
屋内側パネル３１、屋外側パネル３２、内部パネル３３をこのように重ね合わせることで、面材３０の厚み方向に沿って見た場合には、これらリブの延在方向の交差によって、面材３０の内部に矩形の格子が形成されているように見える。これにより、採光を確保しながらも、屋外側からの視認性を低下させてプライバシーの保護を図ることが可能となる。
【００４２】
さらに、屋内側パネル３１、屋外側パネル３２、内部パネル３３は、それぞれ、２枚の表面板の間がリブによって複数の空間に区画される。したがって、これらのパネルを重ね合わせて面材３０を構成することで、屋内側と屋外側との間に物理的な境界面が増え、断熱性が向上するのはもちろんのこと、リブによって区画形成された各空間に存在する空気によっても断熱性を向上させることが可能となる。
【００４３】
また、屋内側パネル３１及び屋外側パネル３２は、いずれもそのリブ３１ｃ、３２ｃの延在方向が面材３０の長手方向と略同一となるよう配置される。これにより、汎用パネルを用いて屋内側パネル３１と屋外側パネル３２とする場合に、その長手方向を面材３０の長手方向と一致させて、屋内側パネル３１と屋外側パネル３２のそれぞれを一枚の汎用パネルで構成することが容易となる。換言すれば、屋内側パネル３１と屋外側パネル３２を、それぞれ複数の汎用パネルを面材の長手方向に並べて繋ぎ合わせるなどして構成する必要が無い。
【００４４】
ここで、内部パネル３３については、面材３０の幅方向をリブの延在方向としながら、面材３０の長手方向寸法と同等の幅寸法を有する大きな汎用パネルが市場で用意されていないことから、上述のように第１内部パネル３３１、第２内部パネル３３２、第３内部パネル３３３を直線的に並べ、繋ぎ合せることで構成している。したがって、図５に示すように、第１内部パネル３３１と第２内部パネル３３２の間には繋ぎ目Ｐ１が表れ、第２内部パネル３３２と第３内部パネル３３３の間には繋ぎ目Ｐ２が表れる。
【００４５】
しかしながら、本実施形態に係る面材３０によれば、この繋ぎ目Ｐ１、Ｐ２は、いずれも１つの汎用パネルからなり繋ぎ目を有しない屋内側パネル３１、屋外側パネル３２によって覆われる。したがって、繋ぎ目Ｐ１、Ｐ２が外部から目立つことがない。すなわち、この実施態様によれば、意匠性を高いものとしながらも、リブによって視覚的に格子を形成して断熱性の向上と視認性の低下を図ることが可能となる。
【００４６】
以上、具体例を参照しつつ本発明の実施の形態について説明した。しかし、本発明はこれらの具体例に限定されるものではない。すなわち、これら具体例に、当業者が適宜設計変更を加えたものも、本発明の特徴を備えている限り、本発明の範囲に包含される。例えば、前述した各具体例が備える各要素およびその配置、材料、条件、形状、サイズなどは、例示したものに限定されるわけではなく適宜変更することができる。また、前述した各実施の形態が備える各要素は、技術的に可能な限りにおいて組み合わせることができ、これらを組み合わせたものも本発明の特徴を含む限り本発明の範囲に包含される。
【符号の説明】
【００４７】
２０  ：枠材
３０  ：面材
３１  ：屋内側パネル
３１ａ：表面板
３１ｂ：表面板
３１ｃ：リブ
３２  ：屋外側パネル
３２ｃ：リブ
３３  ：内部パネル
３３ｃ：リブ
３３１：第１内部パネル
３３１ｃ：リブ
３３２：第２内部パネル
３３２ｃ：リブ
３３３：第３内部パネル
３３３ｃ：リブ
４０  ：引戸
ＯＰ  ：開口部
ＡＬ  ：断熱採光装置
Ｐ１  ：繋ぎ目
Ｐ２  ：繋ぎ目
【図１】
2014237983.tif 000003
【図２】
2014237983.tif 000004
【図３】
2014237983.tif 000005
【図４】
2014237983.tif 000006
【図５】
2014237983.tif 000007